(57)【要約】【課題】  斜め方向の視野角を大幅に拡大することができる透過型スクリーンを提供する。【解決手段】  レンズアレイ層１２を平面形状が菱形を呈し光入射側に凸状の単位凸レンズ１２ａが縦及び横方向に連続して配列された形状に構成し、単位凸レンズ１２ａに入射された光線が集光する遮光層１３の箇所に光透過部１５を形成し、遮光層１３のレンズアレイ層１２と反対の面に光透過部１５を覆うように拡散層１４を積層し、単位凸レンズ１２ａを通して光透過部１５を透過する光を拡散層１４で拡散して出射する構成にした。【選択図】図１
2007256381.tif 000002
【特許請求の範囲】
【請求項１】
平面形状が菱形を呈し光入射側に凸状の単位凸レンズが縦及び横方向に連続して配列されるレンズアレイ層と、
前記レンズアレイ層の前記単位凸レンズと反対の面に形成された遮光層と、
前記単位凸レンズに入射された光線が集光する前記遮光層の箇所に形成された光透過部と、
前記遮光層の前記レンズアレイ層と反対の面に前記光透過部を覆うように積層され前記単位凸レンズを通して前記光透過部を透過する光を拡散して出射する拡散層と、
を備えることを特徴とする透過型スクリーン。
【請求項２】
前記単位凸レンズは非球面形状であることを特徴とする請求項１記載の透過型スクリーン。
【請求項３】
前記レンズアレイ層は、半円柱状のシリンドリカルレンズが複数平行に配列されてなる第１レンズアレイと第２レンズアレイとを前記シリンドリカルレンズの長さ方向が互いに直角以下の角度で交差するように同一平面上に配置して一体化したレンズ層から構成されていることを特徴とする請求項１記載の透過型スクリーン。
【請求項４】
フレネルレンズシートと、前記フレネルレンズシートの光出射側に該フレネルレンズシートと平行に配置されたレンチキュラーレンズシートと、前記フレネルレンズシートの光入射側に配置されたプロジェクタとを有する背面投射型ディスプレイ装置において、
前記レンチキュラーレンズシートは、
平面形状が菱形を呈し光入射側に凸状の単位凸レンズが縦及び横方向に連続して配列されるレンズアレイ層と、
前記レンズアレイ層の前記単位凸レンズと反対の面に形成された遮光層と、
前記単位凸レンズに入射された光線が集光する前記遮光層の箇所に形成された光透過部と、
前記遮光層の前記レンズアレイ層と反対の面に前記光透過部を覆うように積層され前記単位凸レンズを通して前記光透過部を透過する光を拡散して出射する拡散層と、
を備えることを特徴とする背面投射型ディスプレイ装置。
【請求項５】
前記単位凸レンズは非球面形状であることを特徴とする請求項４記載の背面投射型ディスプレイ装置。
【発明の詳細な説明】
【技術分野】
【０００１】
本発明は、ＬＣＤ、ＬＣｏＳ、ＤＬＰなどを表示素子としたプロジェクション方式による背面投射型ディスプレイ装置並びにその投射スクリーンなどに用いられる透過型スクリーンに関する。
【背景技術】
【０００２】
液晶プロジェクションテレビなどの背面投射型ディスプレイ装置に用いられる透過型スクリーンは、レンチキュラーレンズやプリズムシートを基本構造とし、これと拡散板等とを一体構造とした光拡散板（便宜上以下、レンチキュラーレンズシートという）と、拡散材を含んだ基材等により成型されたフレネルレンズシート（以下、フレネルレンズシートという）とを対向配置し、これらの縁部分をテープや保持機構により一体化することで構成される（例えば特許文献１、２、３参照）。
【０００３】
このような透過型スクリーンは、これを構成するレンチキュラーレンズシートのレンズ層とフレネルレンズのレンズ層とが互いに向き合う状態に配置されている。
また、レンチキュラーレンズシートのレンチキュラーシートは、レンチキュラー層、遮光層及び拡散層を積層することで構成される。この場合、レンチキュラー層はフレネルレンズ側に配置され、拡散層は観者側に配置される。なお、拡散層の観者側と対向する面には、その表面を保護するためのハードコート層が必要に応じて設けられている。
【０００４】
レンチキュラー層は、板状の拡散層（以下、拡散板という）と、この拡散板の一方の面に設けられたレンズ層とから構成される。レンズ層は、例えば半円柱状のシリンドリカルレンズを複数本、その長さ方向が平行になるように配列することで構成される。そして、このレンズ層に例えばフィルム状の粘着剤層を積層し、さらに拡散板を積層し、強固に一体化することによりレンチキュラーシートが得られる。
なお、ここで用いる拡散板は、例えばアクリル系などのプラスチック等からなるマトリックス中に複数のガラスビーズなどからなる拡散材を混合したものが一般的である。また、拡散板の光出射側の面には、その表面を保護するためのハードコード層が必要に応じて設けられている。
【０００５】
フレネルレンズシートは、フレネルレンズ層と拡散層とを積層することで構成される。フレネルレンズ層は同心円状に配置されたコーン状のプリズムアレイ形状とすることが一般的であり、拡散層には、レンチキュラーレンズと同様に、板状の拡散層（以下、拡散板という）が用いられる場合が多い。ただし、拡散板の光学的な拡散特性はレンチキュラーシートの拡散板のそれと違えてあるのが一般的である。
【０００６】
以上のように構成された透過型スクリーンを液晶プロジェクションテレビに取り付け、そのプロジェクタからの光線を透過型スクリーンに照射すると、この光線はフレネルレンズシートを介して略平行な光線となる。そして、この略平行な光線はレンチキュラー層を透過することによって、その透過光に所定の配光角度が付与され、画面の左右方向（水平方向）に適度に広がり、この方向における視野角の制御が行われる。
また、レンチキュラー層を透過した光線は、シリンドリカルレンズの長さ方向と平行なストライプ状の光線となり、この光線は遮光板の光透過部を通過した後、拡散板の作用により、画面の上下方向（垂直方向）に適度に拡散され、この方向における視野角の制御が行われる。
また、シリンドリカルレンズの集光部近傍に開口部を設けた遮光板を配設することにより、映像の黒を引き締める効果が得られる。つまりＳ／Ｎ比が向上し、コントラストの良好な画像を提供することができる。
【特許文献１】特開平５−２７３６５８号公報
【特許文献２】特開２００３−１４０１２６号公報
【特許文献３】特開２００２−１７４７０３号公報
【発明の開示】
【発明が解決しようとする課題】
【０００７】
上述のような従来の透過型スクリーンでは、レンチキュラーレンズの拡散効果が期待できる水平視野角に対し、垂直視野角は拡散板の効果によるものであり、民生用テレビとしては更に広い視野角を望まれることが多い。これに加えて、斜め方向への光拡散が不十分になりがちである。このため、テレビセットの透過型スクリーンを斜め上方または斜め下方より見た場合に画面内に暗部が生じ、測定値以上に好感観察範囲が狭まくなり、望ましくない。
【０００８】
また、従来、垂直視野角を広げる手段として、透過型スクリーンに直交させたレンチキュラー構造を持たせたり、レンチキュラーレンズを２枚直交して配置するなど、垂直方向にも光拡散効果を持たせたものもある。さらには、特許文献３に示すように、シリンドリカルレンズの長さ方向が互いに直交するように同一平面上に配列してなる１枚のレンズシートにより、水平／垂直の双方に光拡散効果を持たせた構成のものも知られている。
しかしながら、この種の透過型スクリーンは、基本的に画面の直上方向のみに光拡散を行うため、斜め方向への視野角改善効果は僅かに留まらざるを得ない。さらに、このような方式の透過型スクリーンは、レンズシートの加工適性が悪化し、生産数量の減少やコスト上昇の原因になる問題があった。
【０００９】
本発明は、上記のような事情に鑑みてなされたもので、斜め方向の視野角を大幅に拡大することができる透過型スクリーン及びこれを用いた背面投射型ディスプレイ装置を提供することを目的とする。
【課題を解決するための手段】
【００１０】
上記目的を達成するために本発明の透過型スクリーンは、平面形状が菱形を呈し光入射側に凸状の単位凸レンズが縦及び横方向に連続して配列されるレンズアレイ層と、前記レンズアレイ層の前記単位凸レンズと反対の面に形成された遮光層と、前記単位凸レンズに入射された光線が集光する前記遮光層の箇所に形成された光透過部と、前記遮光層の前記レンズアレイ層と反対の面に前記光透過部を覆うように積層され前記単位凸レンズを通して前記光透過部を透過する光を拡散して出射する拡散層とを備えることを特徴とする。
【００１１】
また、本発明は、フレネルレンズシートと、前記フレネルレンズシートの光出射側に該フレネルレンズシートと平行に配置されたレンチキュラーレンズシートと、前記フレネルレンズシートの光入射側に配置されたプロジェクタとを有する背面投射型ディスプレイ装置において、前記レンチキュラーレンズシートは、平面形状が菱形を呈し光入射側に凸状の単位凸レンズが縦及び横方向に連続して配列されるレンズアレイ層と、前記レンズアレイ層の前記単位凸レンズと反対の面に形成された遮光層と、前記単位凸レンズに入射された光線が集光する前記遮光層の箇所に形成された光透過部と、前記遮光層の前記レンズアレイ層と反対の面に前記光透過部を覆うように積層され前記単位凸レンズを通して前記光透過部を透過する光を拡散して出射する拡散層とを備えることを特徴とする。
【発明の効果】
【００１２】
本発明の透過型スクリーン及びこれを用いた背面投射型ディスプレイ装置によれば、斜め方向の視野角を大幅に拡大することができるとともに、画像の全方位の視野と明るさが制御された高品位な画像を得ることができ、かつリアプロジェクションテレビに適合した透過型スクリーンを得ることができる。
【発明を実施するための最良の形態】
【００１３】
以下、本発明にかかる透過型スクリーン及びこれを用いた背面投射型ディスプレイ装置の実施の形態について図面を参照して説明する。なお、本発明にかかる透過型スクリーン及び背面投射型ディスプレイ装置は、以下に説明する実施の形態に限定されるものではない。
【００１４】
（実施の形態１）
図１（Ａ）は本発明にかかるレンチキュラー構造の透過型スクリーンの実施の形態を示す概略平面図、図１（Ｂ）は図１（Ａ）のＢ−Ｂ線に断面図、図２は本実施の形態における遮光層のパターン形状の一例を示す説明図、図３は本実施の形態におけるレンズアレイの成形に使用されるレンズ成型用ロールの一例を示す斜視図である。
【００１５】
本実施の形態に示す透過型スクリーン１０は、図１に示すように、透光性のフィルム基材１１と、このフィルム基材１１の一方の面（光入射側の面）に形成されたレンズアレイ層１２と、フィルム基材１１の他方の面に積層された遮光層１３と、この遮光層１３のフィルム基材１１と反対の面に積層された拡散層１４とを備える。
【００１６】
レンズアレイ層１２は、紫外線硬化性樹脂が塗布されたフィルム基材１１を図３に示すようなレンズ成型用ロール２０とこれに圧接される加圧用ロール（図示せず）との間に通すことにより、紫外線硬化性樹脂にレンズ成型用ロール２０の形状を転写し、紫外線を照射して樹脂を硬化することにより、図１（Ａ）及び（Ｂ）に示すような平面形状が菱形を呈し光入射側に突出する単位凸レンズ１２ａを縦及び横方向に連続して配列することで形成される。
【００１７】
なお、フィルム基材１２の四辺の縁部分に臨む単位凸レンズ１２ａの平面形状は菱形にならず三角形状を呈するが、この形状の単位凸レンズであっても、その集光効果は損なわれことがない。
また、単位凸レンズ１２ａの平面形状が菱形を呈するようにレンズアレイ層１２を形成する手法としては、半円柱状の凸シリンドリカルレンズが複数平行に配列されてなる第１レンズアレイと、同様に半円柱状の凸シリンドリカルレンズが複数平行に配列されてなる第２レンズアレイとをシリンドリカルレンズの長さ方向が互いに直角以下の角度で交差するように同一平面上に配置して一体化したレンズ層から構成することも可能である。
【００１８】
上述のような単位凸レンズ１２ａは、図１（Ａ）に示すように、所定ピッチの平行な斜めの第１区画線Ｌ１と、この第１区画線Ｌ１と所定の角度θ、例えばθ＝３０度〜４５度で交差する、第１区画線Ｌ１と同一ピッチの平行な斜めの第２区画線Ｌ２とにより区画することで平面形状が菱形を呈する形に形成され、かつ縦及び横方向に連続して配列された状態に構成される。これに対応してレンズ成型用ロール２０の外周表面には、第１、第２区画線Ｌ１，Ｌ２及び単位凸レンズ１２ａの逆形状が形成されている。すなわち、レンズ成型用ロール２０の菱形部分２０ａが単位凸レンズ１２ａの凸形状に応じた凹状となり、また、第１及び第２区画線Ｌ１，Ｌ２に対応する部分２０ｂが凸形状となる。
【００１９】
単位凸レンズ１２ａに入射された光線１６が集光する遮光層１３の箇所には、図１（Ｂ）に示すように、光透過部１５が形成されている。この時の遮光層１３のパターン形状は図２に示すようになり、黒塗りの部分１３ａが遮光部であり、白抜きの互いに交差するストライプ部分が光透過部１５である。
また、拡散層１４は、光透過部１５を透過する光を拡散してレンズアレイ層１２と反対の側（観者側）へ出射するするもので、遮光層１３のレンズアレイ層１２と反対の面に光透過部１５を覆うように積層されている。
【００２０】
上述したようにレンズアレイ層１２をフィルム基材１１により支持する構造にすることにより、レンズアレイシートの一体成型法や積層法のみならず、フィルム基材へのラミネートや塗工など様々な工法を使用することが可能である。
上記フィルム基材の材料には、透過光に対して実用上差し支えない透過率と、機械的強度が有れば使用が可能であり、主なプラスチック材料としては、メタクリルスチレン樹脂を始めとしてアクリル、ポリカーボネートなどを広範に使用することができる。また、プラスチック以外にもガラス系の材料（フロートガラスや青板ガラス、ＢＫ７など）を使用することも可能である。
【００２１】
レンズアレイ層１２の材料としてはガラス、プラスチックなどの映像光波長に対し透光性を有する材料であれば、光学用部材に使用される材質には特に制限がないが、生産効率などを考慮するとプラスチックを用いることが最も好ましい。
プラスチックとしては、ポリメタクリル酸メチルなどのアクリル系樹脂、ポリカーボネート、アクリル−スチレン共重合体、スチレン系樹脂、ポリ塩化ビニルなどを例示することができる。特に微細な加工が必要なレンズ層の材料としては、紫外線硬化型樹脂や電子線硬化型樹脂などの放射線硬化型樹脂を用いることが好ましい。
放射線硬化型樹脂としては、例えばウレタン（メタ）アクリレートおよび／またはエポキシ（メタ）アクリレートオリゴマーに反応希釈剤、光重合開始剤、光増感剤などが添加された組成物などを用いることができる。
ウレタン（メタ）アクリレートオリゴマーとしては、特に限定するものではないが、例えばエチレングリコール、１，４ブタンジオール、ネオペンチルグリコール、ポリカプロラクトンポリオール、ポリエステルポリオール、ポリカーボネートジオール、ポリテトラメチレングリコールなどのポリオール類と、ヘキサメチレンジイソシアネート、イソホロンジイソシアネート、トリレンジイソシアネート、キシレンイソシアネートなどのポリイソシアネート類とを反応させて得ることができる。
エポキシ（メタ）アクリレートオリゴマーとしては、特に限定するものではないが、例えばビスフェノールＡ型エポキシ樹脂、ビスフェノールＦ型エポキシ樹脂、フェノールノボラック型エポキシ樹脂、ビスフェノールＡ型プロピレンオキサイド付加物の末端グリシジルエーテル、フルオレンエポキシ樹脂などのエポキシ樹脂類と、（メタ）アクリル酸とを反応させて得ることができる。
【００２２】
このような透過型スクリーンにおいては、単位凸レンズ１２ａの断面形状は楕円面を基準面とし、高次項により補正を加えた非球面形状とすれば、遮光層１３に設けた光透過部１５への集光度合をより鮮明に調整が可能となり、望ましい。また、遮光層１３は光線入射側に形成されたレンズアレイ層１２の単位凸レンズ１２ａに対応する図２に示すパターンを有することで透過型スクリーンのコントラストを向上できる効果がある。また、拡散層１４をラミネートや接着により一体化し、透過型スクリーンを得ることができる。この拡散層１５には、基材層として充分な支持強度を有するもののほか、透明板に拡散層を塗工したものなどを適宜用いることも可能である。また、遮光層１３のパターンは、レンズアレイ層１２の単位凸レンズ１２ａに対応する図２に示すような形状であれば、その工法、材料は特に限定されない。
レンズ成型用ロール２０の型材料としては、シリンダー表面に施された銅（Cu）メッキ層が一般的で、実際の使用に際してはクローム（Cr）やニッケル（Ni）などで保護層を設けることが一般的である。
【００２３】
このようの本実施の形態における透過型スクリーンによれば、レンズアレイ層１２を平面形状が菱形を呈し光入射側に凸状の単位凸レンズ１２ａが縦及び横方向に連続して配列された形状に構成し、単位凸レンズ１２ａに入射された光線が集光する遮光層１３の箇所に光透過部１５を形成する構成にしたので、斜め方向へも視域が生成され、特に店頭ディスプレイなど、至近距離での画像観察状態において広い好感領域を得ることができるとともに、画像の全方位の視野と明るさが制御された高品位な画像を得ることができ、かつリアプロジェクションテレビに適合した透過型スクリーンを得ることができる。しかも、レンズシートの加工が良好となり、生産性が向上し低コスト化が可能になる。
【００２４】
また、本実施の形態によれば、単位凸レンズ１２ａと逆の形状となる凹部をレンズ成型用ロールの外周表面に螺旋方向に沿い刻設することが可能であるため、これまでの加工技術を活用してレンズ成形用の型を容易に作製することができる。このため、特に特殊な装置を必要としないばかりか、単位凸レンズ成形用凹部のパターンニングに要する時間も切削時間の増加分のみで済むため、段取りなどを含めた総加工時間の増加分は最小限に抑えることができる。
また、単位凸レンズ成形用凹部のパターンはレンズ成型用ロールの回転方向に概ね沿っているため、レンズパターンの転写成型時に必要な脱泡や剥離を行うことができ、高速大面積での転写にも向いている。このため、レンズパターンとレンチキュラーレンズの間で加工上の難易度に決定的な差異はなく、生産性にすぐれている。さらに、副次的な効果として、単位凸レンズの繰り返し形状が傾斜しているため、従来モアレが発生したピッチ条件においても使用可能となり、製法の選定範囲が広がるなどのメリットがある。
【００２５】
（実施の形態２）
次に、図４により本発明にかかる透過型スクリーンを用いた背面投射型ディスプレイ装置の実施の形態について説明する。
この図４において、背面投射型ディスプレイ装置は、フレネルレンズシート３１と、フレネルレンズシート３１の光出射側に所定の間隔をおいてフレネルレンズシート３１と平行に配置されたレンチキュラーレンズシート３２と、フレネルレンズシート３１の光入射側に配置されたプロジェクタ３３とを備え、フレネルレンズシート３１とレンチキュラーレンズシート３２は支持部材３４により一体化されている。
【００２６】
フレネルレンズシート３１は、光学的拡散材を含まない光拡散度がゼロに近いフレネル基材層３１ａと、このフレネル基材層３１ａの光出射側（レンチキュラーレンズシート３２と対向する側）に同心円状に形成されたコーン状のプリズムアレイ形状をなすフレネルレンズ層３１ｂとから構成されている。
レンチキュラーレンズシート３２は、上記図１に示す透過型スクリーン１０と同様に、透光性のフィルム基材１１と、このフィルム基材１１の一方の面（光入射側の面）に形成されたレンズアレイ層１２と、フィルム基材１１の他方の面に積層された、光透過部１５を有する遮光層１３と、この遮光層１３のフィルム基材１１と反対の面に積層され単位凸レンズ１２ａを通して光透過部１５を透過する光を拡散して出射する拡散層１４とから構成されている。
【００２７】
図４に示すように、プロジェクタ３３からフレネルレンズシート３１に光線３３ａが照射されると、この光線３３ａはフレネルレンズシート３１により略平行な光線となってレンチキュラーレンズシート３２側へ出射される。そして、この光線３３ｂはレンチキュラーレンズシート３２を構成するレンズアレイ層１２の単位凸レンズ１２ａを透過することによって左右方向（水平方向）及び斜め方向に所定の配光角度が付与され、画面の左右方向（水平方向）及び斜め方向に適度に広がり、これらの方向における視野角の制御が行われる。また、レンチキュラーレンズシート３２を透過した光線は、遮光層１３の光透過部を経て、単位凸レンズ１２ａを通して遮光層１３の光透過部１５を透過する光を拡散層１４の作用により、画面の上下方向（垂直方向）に適度に拡散し、この方向における視野角の制御が行われる。
【００２８】
このような背面投射型ディスプレイ装置によれば、レンズアレイ層１２を平面形状が菱形を呈し光入射側に凸状の単位凸レンズ１２ａが縦及び横方向に連続して配列された形状に構成し、単位凸レンズ１２ａに入射された光線が集光する遮光層１３の箇所に光透過部１５を形成する構成にしたので、斜め方向へも視域が生成され、特に店頭ディスプレイなど、至近距離での画像観察状態において広い好感領域を得ることができるとともに、画像の全方位の視野と明るさが制御された高品位な画像を得ることができる。
【図面の簡単な説明】
【００２９】
【図１】（Ａ）は本発明にかかるレンチキュラー構造の透過型スクリーンの実施の形態を示す概略平面図であり、（Ｂ）は（Ａ）のＢ−Ｂ線に沿う断面図である。
【図２】本実施の形態における遮光層のパターン形状の一例を示す説明図である。
【図３】本実施の形態におけるレンズアレイの成形に使用されるレンズ成型用ロールの一例を示す斜視図である。
【図４】本発明にかかる透過型スクリーンを用いて背面投射型ディスプレイ装置を構成した場合の模式断面図である。
【符号の説明】
【００３０】
１０……透過型スクリーン、１１……フィルム基材、１２……レンズアレイ層、１２ａ……単位凸レンズ、１３……遮光層、１４……拡散層、１５……光透過部、２０……レンズ成型用ロール、３１……フレネルレンズシート、３１ａ……フレネル基材層、３１ｂ……フレネルレンズ層、３２……レンチキュラーレンズシート、３３……プロジェクタ。
【図１】
2007256381.tif 000003
【図２】
2007256381.tif 000004
【図３】
2007256381.tif 000005
【図４】
2007256381.tif 000006